(57)【要約】【課題】メダルゲーム機等がもつゲーム価値の増減に関するゲーム性と、プレイヤーがキャラクタを操作することでゲーム展開されるゲームがもつゲーム性とを融合する。【解決手段】プレイヤーは、画面上の主人公を操作してダンジョンに存在するモンスターを倒すための魔法カードを使用することができる。ゲームユニットのＲＯＭは、魔法カード名データと魔法カードの使用に必要なカード使用費用データとを対応づけて記録されたデータ領域を有する。プレイヤーが操作レバー及び操作ボタンを操作して使用する魔法カードを選択すると、ゲームユニットのメイン基板がその魔法カード名を認識する。これにより、メイン基板１０は、上記データ領域にある魔法カード名データに対応したカード使用費用データを読み出し、ＲＡＭ１６に記録されたプレイヤーのクレジットデータから、このカード使用費用データに相当するクレジット分を減らす処理を行う。【選択図】  図１
2007175530.tif 000002
【特許請求の範囲】
【請求項１】
プレイヤーの所持するゲーム価値を受け取るゲーム価値受取手段と、
上記プレイヤーに対してゲーム価値を払い出すゲーム価値払出手段とを備えたゲーム装置において、
ゲームを進行するゲーム進行手段と、
上記ゲーム進行手段により進行するゲーム画面を表示する表示手段と、
上記表示手段により表示されるゲーム画面上に出現する操作対象を、上記プレイヤーが操作するための操作手段と、
上記プレイヤーのゲーム価値を変動させるためのゲーム価値変動要素に関連付けられ、該プレイヤーの所持するゲーム価値の増減量を決定する増減情報を記録した増減情報記録媒体と、
上記ゲーム進行手段が進行するゲーム中に、上記プレイヤーが上記操作対象を操作することで所定のゲーム価値変動条件を満たしたとき、該ゲーム価値変動条件に対応するゲーム価値変動要素を選択する変動要素選択手段と、
上記変動要素選択手段により選択されたゲーム価値変動要素に対応する増減情報を、上記増減情報記録媒体から読み出す増減情報読出手段と、
上記増減情報読出手段により読み出された増減情報に従って、上記プレイヤーのゲーム価値の量を変動させるゲーム価値変動手段とを有することを特徴とするゲーム装置。
【請求項２】
請求項１のゲーム装置において、
上記ゲーム進行手段が進行するゲーム内容が互いに異なる複数のゲーム情報を記録したゲーム情報記録媒体と、
上記ゲーム情報記録媒体に記録された複数のゲーム情報の中から、上記プレイヤーが参加を希望するゲーム情報を選択するゲーム情報選択手段とを有し、
上記ゲーム進行手段は、上記ゲーム情報選択手段により選択されたゲーム情報に基づいて、上記プレイヤーのゲームを進行し、
上記ゲーム価値変動要素は、上記複数のゲーム情報をそれぞれ特定するためのゲーム情報特定情報であり、
上記変動要素選択手段は、上記ゲーム情報選択手段によりゲーム情報が選択されたことを上記ゲーム価値変動条件として、該ゲーム情報に対応するゲーム情報特定情報を選択することを特徴とするゲーム装置。
【請求項３】
請求項１のゲーム装置において、
上記プレイヤーの指示に基づいて、上記ゲーム進行手段によるゲーム進行中のゲーム状態を変更するためのゲーム状態変更要素を、該プレイヤーが使用可能な状態で記録した使用可能要素記録媒体と、
上記プレイヤーの指示に基づいて、上記使用可能要素記録媒体に記録されたゲーム状態変更要素の使用を決定する使用決定手段と、
上記使用決定手段により決定されたゲーム状態変更要素に基づいて、上記ゲーム進行手段によるゲーム進行中のゲーム状態を変更するゲーム状態変更手段とを有し、
上記ゲーム価値変動要素は、上記使用可能要素記録媒体に記録されたゲーム状態変更要素を特定するための変更要素特定情報であり、
上記変動要素選択手段は、上記使用決定手段によりゲーム状態変更要素が決定されたことを上記ゲーム価値変動条件として、該ゲーム状態変更要素に対応する変更要素特定情報を選択することを特徴とするゲーム装置。
【請求項４】
請求項１のゲーム装置において、
上記プレイヤーの指示に基づいて、上記ゲーム進行手段によるゲーム進行中のゲーム状態を変更するためのゲーム状態変更要素を、該プレイヤーが使用可能な状態で記録した使用可能要素記録媒体と、
上記プレイヤーの指示に基づいて、上記使用可能要素記録媒体に記録されたゲーム状態変更要素の使用を決定する使用決定手段と、
上記使用決定手段により決定されたゲーム状態変更要素に基づいて、上記ゲーム進行手段によるゲーム進行中のゲーム状態を変更するゲーム状態変更手段と、
上記ゲーム状態変更要素を、上記プレイヤーが使用不可能な状態で記録した使用不可能要素記録媒体と、
上記使用不可能要素記録媒体に記録されたゲーム状態変更要素の使用を希望する旨の上記プレイヤーからの使用許可要求を受け取る使用許可要求受取手段と、
上記使用許可要求受取手段で受け取った使用許可要求に応じて、上記使用不可能要素記録媒体に記録されたゲーム状態変更要素の使用を許可する使用許可手段と、
上記使用許可手段で使用が許可されたゲーム状態変更要素を、上記使用可能要素記録媒体に記録するゲーム状態変更要素記録手段とを有し、
上記ゲーム価値変動要素は、上記使用不可能要素記録媒体に記録されたゲーム状態変更要素を特定するための変更要素特定情報であり、
上記変動要素選択手段は、上記使用許可手段によりゲーム状態変更要素の使用が許可されたことを上記ゲーム価値変動条件として、該ゲーム状態変更要素に対応する変更要素特定情報を選択することを特徴とするゲーム装置。
【請求項５】
請求項１のゲーム装置において、
上記プレイヤーの指示に基づいて、上記ゲーム進行手段によるゲーム進行中のゲーム状態を変更するためのゲーム状態変更要素を、該プレイヤーが使用可能な状態で記録した使用可能要素記録媒体と、
上記プレイヤーの指示に基づいて、上記使用可能要素記録媒体に記録されたゲーム状態変更要素の使用を決定する使用決定手段と、
上記使用決定手段により決定されたゲーム状態変更要素に基づいて、上記ゲーム進行手段によるゲーム進行中のゲーム状態を変更するゲーム状態変更手段と、
上記ゲーム状態変更要素を、上記プレイヤーが使用不可能な状態で記録した使用不可能要素記録媒体と、
上記使用可能要素記録媒体に記録されたゲーム状態変更要素の不使用を希望する旨の上記プレイヤーからの不使用許可要求を受け取る不使用許可要求受取手段と、
上記不使用許可要求受取手段で受け取った不使用許可要求に応じて、上記使用可能要素記録媒体に記録されたゲーム状態変更要素の不使用を許可する不使用許可手段と、
上記不使用許可手段で不使用が許可されたゲーム状態変更要素を、上記使用可能要素記録媒体から消去するゲーム状態変更要素消去手段とを有し、
上記ゲーム価値変動要素は、上記使用可能要素記録媒体に記録されたゲーム状態変更要素を特定するための変更要素特定情報であり、
上記変動要素選択手段は、上記不使用許可手段によりゲーム状態変更要素の不使用が許可されたことを上記ゲーム価値変動条件として、該ゲーム状態変更要素に対応する変更要素特定情報を選択することを特徴とするゲーム装置。
【請求項６】
請求項１のゲーム装置において、
上記ゲーム進行手段は、勝敗に応じてゲーム価値を増減する賭けゲームを実行する賭けゲーム実行手段を有し、
上記ゲーム価値変動要素は、上記賭けゲーム実行手段が実行する賭けゲームでの勝敗態様情報であり、
上記変動要素選択手段は、上記プレイヤーが上記賭けゲームで勝ったこと又は負けたことを上記ゲーム価値変動条件として、該賭けゲームのゲーム結果に対応する勝敗態様情報を選択することを特徴とするゲーム装置。
【請求項７】
請求項１のゲーム装置において、
上記表示手段により表示されるゲーム画面上に出現するゲーム要素の動作を制御するゲーム要素制御手段を有し、
上記ゲーム価値変動要素は、上記ゲーム要素に関連するゲーム要素関連情報であり、
上記変動要素選択手段は、上記プレイヤーが上記ゲーム要素に対して所定の特典獲得条件を満たしたことを上記ゲーム価値変動条件として、該ゲーム要素に対応するゲーム要素特定情報を選択することを特徴とするゲーム装置。
【請求項８】
請求項１のゲーム装置において、
上記ゲーム価値変動要素は、上記ゲーム進行手段により進行されるゲームの目的達成要件に関連する達成目的関連情報であり、
上記変動要素選択手段は、上記プレイヤーが上記操作対象を操作することで上記目的達成要件を満たしたことを上記ゲーム価値変動条件として、該目的達成要件に対応する達成目的特定情報を選択することを特徴とするゲーム装置。
【請求項９】
請求項１、２、３、４、５、６、７又は８のゲーム装置の構成を有するアーケードゲーム機。
【請求項１０】
プレイヤーの所持するゲーム価値を受け取るゲーム価値受取工程と、
上記プレイヤーに対してゲーム価値を払い出すゲーム価値払出工程とを備え、
上記プレイヤーがゲーム画面上に出現する操作対象を操作することで展開されるゲームを実行するゲーム実行方法であって、
上記ゲームの進行中に、上記プレイヤーが上記操作対象を操作することで所定のゲーム価値変動条件を満たしたとき、該ゲーム価値変動条件に対応する上記プレイヤーのゲーム価値を変動させるためのゲーム価値変動要素を選択する変動要素選択工程と、
上記ゲーム価値変動要素に関連付けられ、上記プレイヤーの所持するゲーム価値の増減量を決定する増減情報を記録した増減情報記録媒体から、上記変動要素選択工程で選択されたゲーム価値変動要素に対応する増減情報を読み出す増減情報読出工程と、
上記増減情報読出工程で読み出された増減情報に従って、上記プレイヤーのゲーム価値の量を変動させるゲーム価値変動工程とを有することを特徴とするゲーム実行方法。
【請求項１１】
プレイヤーの所持するゲーム価値を受け取るゲーム価値受取手段と、該プレイヤーに対してゲーム価値を払い出すゲーム価値払出手段とを備え、上記プレイヤーがゲーム画面上に出現する操作対象を操作することで展開されるゲームを実行するゲーム装置を構成するコンピュータを機能させるためのプログラムを記録したコンピュータ読取可能な記録媒体であって、
上記ゲームの進行中に、上記プレイヤーが上記操作対象を操作することで所定のゲーム価値変動条件を満たしたとき、該ゲーム価値変動条件に対応する上記プレイヤーのゲーム価値を変動させるためのゲーム価値変動要素を選択する変動要素選択手段、
上記ゲーム価値変動要素に関連付けられ、上記プレイヤーの所持するゲーム価値の増減量を決定する増減情報を記録した増減情報記録媒体から、上記変動要素選択手段により選択されたゲーム価値変動要素に対応する増減情報を読み出す増減情報読出手段、及び
上記増減情報読出手段により読み出された増減情報に従って、上記プレイヤーのゲーム価値の量を変動させるゲーム価値変動手段として、上記コンピュータを機能させるためのプログラムを記録したことを特徴とするコンピュータ読取可能な記録媒体。
【請求項１２】
プレイヤーの所持するゲーム価値を受け取り、上記プレイヤーがゲーム画面上に出現する操作対象を操作することで展開されるゲーム中に、該プレイヤーのゲーム価値の量を変動させるために用いるデータを記録したコンピュータ読取可能な記録媒体であって、
上記ゲームの進行中に、上記プレイヤーが上記操作対象を操作することで所定のゲーム価値変動条件を満たしたときに選択される該プレイヤーのゲーム価値を変動させるためのゲーム価値変動要素データと、
プレイヤーの所持するゲーム価値の増減量を決定する増減情報データとを対応づけて記録したデータ領域を有することを特徴とするコンピュータ読取可能な記録媒体。
【発明の詳細な説明】
【技術分野】
【０００１】
本発明は、ゲームセンタ等に設置され、プレイヤーがメダル等のゲーム価値を支払うことでゲームに参加し、そのゲーム結果に応じて、プレイヤーがゲーム価値の支払いを受けることができるゲーム装置、アーケードゲーム機及びゲーム実行方法、並びに、このゲーム装置を構成するコンピュータを機能させるためのプログラムを記録したコンピュータ読取可能な記録媒体及びこのゲーム装置に利用されるデータを記録したデータ領域を有するコンピュータ読取可能な記録媒体に関するものである。
【背景技術】
【０００２】
家庭用ゲーム機で行われるゲームでは、プレイヤーが、ゲーム画面上に出現する操作対象を操作してゲームが展開されるようなゲームがよく知られている。この種のゲームとしては、例えば、操作対象である戦闘機を操作して、敵の戦闘機等を倒しながらゲームが進行するシューティングゲーム、操作対象である格闘家を操作して対戦相手と格闘する格闘ゲーム、あるいは、操作対象である戦士や魔法使い等を操作して、その主人公の能力を変動させながらゲーム中に用意されたダンジョン等を冒険するロール・プレイング・ゲーム（以下、「ＲＰＧ」と省略する。）などがある。ＲＰＧを例に挙げると、例えば、プレイヤーの操作する戦士等が、敵のボスを倒したり、迷宮を脱出したり、謎を解いたりすることをゲーム目的とし、プレイヤーは、戦士等を操作ながら、そのゲーム目的の達成を目指す。
【０００３】
ところで、ゲームセンタ等に設置されるゲーム機は、一般に、プレイヤーが硬貨を投入してゲームに参加するビデオゲーム機と、プレイヤーがメダルを購入し、そのメダルを用いてゲームに参加するメダルゲーム機とに大別することができる。上述のように、プレイヤーが操作対象を操作することでゲームが進行するようなゲームは、主に、ビデオゲーム機で行われる。一方、メダルゲーム機は、一般に、メダルすなわちゲーム価値の増加を目的としてゲームを楽しむものである。このため、メダルゲーム機では、プレイヤーが操作対象を操作することでゲームが進行するようなゲームがほとんど行われておらず、競馬ゲームやスロットゲーム等の賭けゲームが中心である。
【発明の開示】
【発明が解決しようとする課題】
【０００４】
ところが、最近では、メダルゲーム機においても、純粋な賭けゲームに捕われないゲーム性の高いゲームが種々提案されている。例えば、プレイヤーがメダルを支払うことで、自分の所持する競走馬を調教し、そのスピード能力やスタミナ能力等を高めて、その競走馬をレースに参加させることができる育成型競馬シュミレーションゲームがある。このゲームでは、プレイヤーが調教した競走馬をレースに参加させてゲームを楽しむという、従来の賭けゲームとは異なるゲーム性を持っている。しかし、この育成型競馬シュミレーションゲームは、プレイヤーが競走馬を直接操作することでゲームが展開されるようなものではないため、プレイヤーが操作対象を操作することでゲームが進行するようなゲームがもつゲーム性を提供することはできない。
【０００５】
本発明は、以上の背景に鑑みなされたものであり、その目的とするところは、メダルゲーム機等がもつゲーム価値の増減に関するゲーム性と、プレイヤーが操作対象を操作することでゲームが進行されるようなゲームがもつゲーム性とを融合した新規なゲーム性を提供することが可能なゲーム装置、アーケードゲーム機及びゲーム実行方法、並びに、このゲーム装置を構成するコンピュータを機能させるためのプログラムを記録したコンピュータ読取可能な記録媒体及びこのゲーム装置に利用されるデータを記録したデータ領域を有するコンピュータ読取可能な記録媒体を提供することである。
【課題を解決するための手段】
【０００６】
上記目的を達成するために、請求項１の発明は、プレイヤーの所持するゲーム価値を受け取るゲーム価値受取手段と、上記プレイヤーに対してゲーム価値を払い出すゲーム価値払出手段とを備えたゲーム装置において、ゲームを進行するゲーム進行手段と、上記ゲーム進行手段により進行するゲーム画面を表示する表示手段と、上記表示手段により表示されるゲーム画面上に出現する操作対象を、上記プレイヤーが操作するための操作手段と、上記プレイヤーのゲーム価値を変動させるためのゲーム価値変動要素に関連付けられ、該プレイヤーの所持するゲーム価値の増減量を決定する増減情報を記録した増減情報記録媒体と、上記ゲーム進行手段が進行するゲーム中に、上記プレイヤーが上記操作対象を操作することで所定のゲーム価値変動条件を満たしたとき、該ゲーム価値変動条件に対応するゲーム価値変動要素を選択する変動要素選択手段と、上記変動要素選択手段により選択されたゲーム価値変動要素に対応する増減情報を、上記増減情報記録媒体から読み出す増減情報読出手段と、上記増減情報読出手段により読み出された増減情報に従って、上記プレイヤーのゲーム価値の量を変動させるゲーム価値変動手段とを有することを特徴とするものである。
【０００７】
このゲーム装置においては、ゲーム価値受取手段により、メダル等のゲーム価値をプレイヤーから受け取り、ゲーム結果に応じて、ゲーム価値払出手段により、そのプレイヤーに対してゲーム価値を払い出す。また、ゲーム進行手段により進行されるゲームにおいて、表示手段により表示されるゲーム画面上に出現する操作対象をプレイヤーが操作することでゲームが進行される。ここで、本ゲーム装置は、ゲーム価値変動要素に関連付けられた増減情報を記録した増減情報記録媒体を有する。この増減情報は、プレイヤーの所持するゲーム価値の増減量を決定するものである。プレイヤーが操作対象を操作することで、ゲーム進行中に所定のゲーム価値変動条件を満たした場合、変動要素選択手段により、その条件に対応するゲーム価値変動要素が選択される。そして、選択されたゲーム価値変動要素に対応する増減情報が、増減情報読出手段により、上記増減情報記録媒体から読み出される。このようにして読み出された増減情報に応じて、所定のゲーム価値変動条件を満たしたプレイヤーのゲーム価値の増減量が決定される。これにより、プレイヤーのゲーム価値は、ゲーム価値変動手段により、決定された増減量に応じて変動する。このように、本ゲーム装置では、プレイヤーが操作対象を操作することで進行されるゲームにおいて、プレイヤーが所定のゲーム価値変動条件を満たすことで、プレイヤーのゲーム価値量が変動する。よって、プレイヤーは、従来の家庭用ゲーム機やビデオゲーム機などで主に行われていたゲームのゲーム性に加え、ゲーム価値の増減に関するゲーム性も楽しむことができる。
【０００８】
ここで、上記ゲーム価値変動条件は、ゲーム進行手段が進行するゲーム内容によって種々考えられる。例えば、そのゲーム内容がＲＰＧである場合、操作対象である戦士等が敵モンスターを倒しながら迷宮を抜けたことをゲーム価値変動条件とすることができる。この場合、例えば、ゲーム価値変動要素を、その迷宮を特定する迷宮特定情報とし、この迷宮特定情報に関連付けされた増減情報を、所定量のゲーム価値が増加するものとすれば、プレイヤーが迷宮の抜けたときに、そのプレイヤーのゲーム価値が増加することになる。よって、プレイヤーに対して、その迷宮を抜けるというゲーム目的に付加価値を付け、ゲーム性を高めることができる。また、プレイヤーの操作する戦士等が敵モンスターにより攻撃されてダメージを受けたことをゲーム価値変動条件とすることもできる。この場合、ゲーム価値変動要素を、そのダメージの大きさを示すダメージ情報とし、このダメージ情報に関連付けされた増減情報を、所定量のゲーム価値が減少するものとすれば、戦士等がダメージを受けたときに、そのプレイヤーのゲーム価値が減少することになる。よって、プレイヤーに対して、敵モンスターからダメージを受けないように、集中してゲームをプレイさせることができる。
また、ゲーム価値変動手段は、本ゲーム装置が、ゲーム価値受取手段によりプレイヤーから受け取ったゲーム価値を電子データに変換して所定の記録媒体に記録しておくものである場合には、その電子データを変動させることにより実現される。
【０００９】
また、請求項２の発明は、請求項１のゲーム装置において、上記ゲーム進行手段が進行するゲーム内容が互いに異なる複数のゲーム情報を記録したゲーム情報記録媒体と、上記ゲーム情報記録媒体に記録された複数のゲーム情報の中から、上記プレイヤーが参加を希望するゲーム情報を選択するゲーム情報選択手段とを有し、上記ゲーム進行手段は、上記ゲーム情報選択手段により選択されたゲーム情報に基づいて、上記プレイヤーのゲームを進行し、上記ゲーム価値変動要素は、上記複数のゲーム情報をそれぞれ特定するためのゲーム情報特定情報であり、上記変動要素選択手段は、上記ゲーム情報選択手段によりゲーム情報が選択されたことを上記ゲーム価値変動条件として、該ゲーム情報に対応するゲーム情報特定情報を選択することを特徴とするものである。
【００１０】
このゲーム装置においては、ゲーム情報選択手段により、ゲーム情報記録媒体に記録された複数のゲーム情報の中から、プレイヤーが参加を希望するゲーム内容に対応するゲーム情報が選択されると、プレイヤーは、そのゲーム情報に基づいて進行されるゲームをプレイすることができる。ここでいうゲーム情報とは、例えば、そのゲーム内容がプレイヤーの操作対象である戦士等が敵モンスターを倒しながら迷宮を冒険するようなＲＰＧの場合には、各迷宮のマップや出現モンスター等のゲーム内容を含む迷宮情報であり、その迷宮情報に基づいて、ゲーム進行手段により上記他のプレイヤーのゲームが進行される。また、育成型競馬シュミレーションゲームの場合には、プレイヤーが調教した競走馬を出馬させる各レースの距離や出走馬制限等のゲーム内容を含むレース情報であり、そのレース情報に基づいて、ゲーム進行手段により上記他のプレイヤーのゲームが進行される。
ここで、本ゲーム装置では、プレイヤーが参加を希望するゲーム情報がゲーム情報選択手段により選択されたことをゲーム価値変動条件とする。上記で例示したＲＰＧの場合、プレイヤーが、ゲーム中に複数用意された迷宮の中から、自分の操作する戦士等を参加させたい迷宮を決定し、その迷宮の迷宮情報が変動要素選択手段により選択されたことがゲーム価値変動条件となる。この場合、ゲーム価値変動要素を、その迷宮情報を特定するためのゲーム情報特定情報とし、このゲーム情報特定情報に関連付けされた増減情報を、所定量のゲーム価値が減少するものとすれば、プレイヤーが希望する迷宮でプレイするときに、そのプレイヤーのゲーム価値が減少することになる。よって、プレイヤーは、そのゲーム内容での挑戦費用を支払うことになるが、その分、プレイヤーは、集中してゲームをプレイすることができる。尚、ゲームの種類等によっては、増減情報が、プレイヤーのゲーム価値を増加させるものであってもよい。
【００１１】
また、請求項３の発明は、請求項１のゲーム装置において、上記プレイヤーの指示に基づいて、上記ゲーム進行手段によるゲーム進行中のゲーム状態を変更するためのゲーム状態変更要素を、該プレイヤーが使用可能な状態で記録した使用可能要素記録媒体と、上記プレイヤーの指示に基づいて、上記使用可能要素記録媒体に記録されたゲーム状態変更要素の使用を決定する使用決定手段と、上記使用決定手段により決定されたゲーム状態変更要素に基づいて、上記ゲーム進行手段によるゲーム進行中のゲーム状態を変更するゲーム状態変更手段とを有し、上記ゲーム価値変動要素は、上記使用可能要素記録媒体に記録されたゲーム状態変更要素を特定するための変更要素特定情報であり、上記変動要素選択手段は、上記使用決定手段によりゲーム状態変更要素が決定されたことを上記ゲーム価値変動条件として、該ゲーム状態変更要素に対応する変更要素特定情報を選択することを特徴とするものである。
【００１２】
このゲーム装置においては、プレイヤーの指示に基づいてゲーム進行中に使用可能なゲーム状態変更要素が、使用可能要素記録媒体に記録されている。そして、そのゲーム状態変更要素の使用を希望するプレイヤーの指示に基づいて、使用決定手段により、そのゲーム状態変更要素の使用が決定されると、そのゲーム状態変更要素に基づいて、進行中のゲーム状態を変更することができる。このゲーム状態変更要素は、ゲーム進行手段が進行するゲーム内容によって種々考えられる。例えば、ＲＰＧにおいて、プレイヤーの操作対象が魔法使いである場合には、その魔法使いの体力を回復させるためのアイテムであったり、敵モンスターにダメージを与えるための魔法であったりする。ここで、本ゲーム装置では、使用決定手段によりゲーム状態変更要素が決定されたことをゲーム価値変動条件とする。上記で例示したＲＰＧの場合、プレイヤーがゲーム中にアイテムや魔法を使用することがゲーム価値変動条件となる。この場合、ゲーム価値変動要素を、そのアイテムや魔法を特定するための変更要素特定情報とし、この変更要素特定情報に関連付けされた増減情報を、所定量のゲーム価値が減少するものとすれば、プレイヤーがアイテム等を使用したときに、そのプレイヤーのゲーム価値が減少することになる。よって、プレイヤーに対して、自分のゲーム価値の量を考慮しながら迷宮を抜けるというゲーム性を提供することができる。尚、ゲーム内容やゲーム状態変更要素による効果によっては、増減情報が、プレイヤーのゲーム価値を増加させるものであってもよい。
【００１３】
また、請求項４の発明は、請求項１のゲーム装置において、上記プレイヤーの指示に基づいて、上記ゲーム進行手段によるゲーム進行中のゲーム状態を変更するためのゲーム状態変更要素を、該プレイヤーが使用可能な状態で記録した使用可能要素記録媒体と、上記プレイヤーの指示に基づいて、上記使用可能要素記録媒体に記録されたゲーム状態変更要素の使用を決定する使用決定手段と、上記使用決定手段により決定されたゲーム状態変更要素に基づいて、上記ゲーム進行手段によるゲーム進行中のゲーム状態を変更するゲーム状態変更手段と、上記ゲーム状態変更要素を、上記プレイヤーが使用不可能な状態で記録した使用不可能要素記録媒体と、上記使用不可能要素記録媒体に記録されたゲーム状態変更要素の使用を希望する旨の上記プレイヤーからの使用許可要求を受け取る使用許可要求受取手段と、上記使用許可要求受取手段で受け取った使用許可要求に応じて、上記使用不可能要素記録媒体に記録されたゲーム状態変更要素の使用を許可する使用許可手段と、上記使用許可手段で使用が許可されたゲーム状態変更要素を、上記使用可能要素記録媒体に記録するゲーム状態変更要素記録手段とを有し、上記ゲーム価値変動要素は、上記使用不可能要素記録媒体に記録されたゲーム状態変更要素を特定するための変更要素特定情報であり、上記変動要素選択手段は、上記使用許可手段によりゲーム状態変更要素の使用が許可されたことを上記ゲーム価値変動条件として、該ゲーム状態変更要素に対応する変更要素特定情報を選択することを特徴とするものである。
【００１４】
このゲーム装置においては、プレイヤーの指示に基づいてゲーム進行中に使用可能なゲーム状態変更要素が、使用可能要素記録媒体に記録されている。また、使用不可能要素記録媒体には、このゲーム状態変更要素がプレイヤーの使用できない状態で記録されている。そして、このプレイヤーが使用できないゲーム状態変更要素の使用をそのプレイヤーが希望する場合、そのプレイヤーからの使用許可要求を使用許可要求受取手段により受け取り、その使用許可要求に応じて、使用許可手段により、その使用許可要求に係るゲーム状態変更要素の使用を許可する。このようにして使用が許可されたゲーム状態変更要素は、ゲーム状態変更要素記録手段により使用可能要素記録媒体に記録され、プレイヤーは、ゲーム中にそのゲーム状態変更要素を使用することができるようになる。ここで、本ゲーム装置では、使用許可手段によりゲーム状態変更要素の使用が許可されたことをゲーム価値変動条件とする。上記で例示したＲＰＧの場合、プレイヤーが使用できないアイテムを、ゲーム中に用意されたショップで購入することがゲーム価値変動条件となる。この場合、ゲーム価値変動要素を、そのアイテムを特定するための変更要素特定情報とし、この変更要素特定情報に関連付けされた増減情報を、所定量のゲーム価値が減少するものとすれば、プレイヤーがゲーム中でアイテムを購入したときに、そのプレイヤーのゲーム価値が減少することになる。よって、プレイヤーは、自分のゲーム価値を、ゲーム中に使用可能なアイテムに変えることで、ゲームの進行が楽にすることができる。尚、ゲーム内容やゲーム状態変更要素の種類によっては、増減情報が、プレイヤーのゲーム価値を増加させるものであってもよい。
【００１５】
また、請求項５の発明は、請求項１のゲーム装置において、上記プレイヤーの指示に基づいて、上記ゲーム進行手段によるゲーム進行中のゲーム状態を変更するためのゲーム状態変更要素を、該プレイヤーが使用可能な状態で記録した使用可能要素記録媒体と、上記プレイヤーの指示に基づいて、上記使用可能要素記録媒体に記録されたゲーム状態変更要素の使用を決定する使用決定手段と、上記使用決定手段により決定されたゲーム状態変更要素に基づいて、上記ゲーム進行手段によるゲーム進行中のゲーム状態を変更するゲーム状態変更手段と、上記ゲーム状態変更要素を、上記プレイヤーが使用不可能な状態で記録した使用不可能要素記録媒体と、上記使用可能要素記録媒体に記録されたゲーム状態変更要素の不使用を希望する旨の上記プレイヤーからの不使用許可要求を受け取る不使用許可要求受取手段と、上記不使用許可要求受取手段で受け取った不使用許可要求に応じて、上記使用可能要素記録媒体に記録されたゲーム状態変更要素の不使用を許可する不使用許可手段と、上記不使用許可手段で不使用が許可されたゲーム状態変更要素を、上記使用可能要素記録媒体から消去するゲーム状態変更要素消去手段とを有し、上記ゲーム価値変動要素は、上記使用可能要素記録媒体に記録されたゲーム状態変更要素を特定するための変更要素特定情報であり、上記変動要素選択手段は、上記不使用許可手段によりゲーム状態変更要素の不使用が許可されたことを上記ゲーム価値変動条件として、該ゲーム状態変更要素に対応する変更要素特定情報を選択することを特徴とするものである。
【００１６】
このゲーム装置においては、上記請求項４のゲーム装置と同様に、使用可能要素記録媒体と使用不可能要素記録媒体とがあり、プレイヤーがゲーム中で使用可能なゲーム状態変更要素を使用しないことをそのプレイヤーが希望する場合、そのプレイヤーからの不使用許可要求を不使用許可要求受取手段により受け取る。そして、その不使用許可要求に応じて、不使用許可手段により、その不使用許可要求に係るゲーム状態変更要素を使用しないことが許可されると、そのゲーム状態変更要素は、ゲーム状態変更要素消去手段により使用可能要素記録媒体から消去され、プレイヤーは、ゲーム中にそのゲーム状態変更要素を使用することができなくなる。ここで、本ゲーム装置では、不使用許可手段によりゲーム状態変更要素の不使用が許可されたことをゲーム価値変動条件とする。上記で例示したＲＰＧの場合、プレイヤーが使用可能なアイテムを、ゲーム中に用意されたショップで売却することがゲーム価値変動条件となる。この場合、ゲーム価値変動要素を、そのアイテムを特定するための変更要素特定情報とし、この変更要素特定情報に関連付けされた増減情報を、所定量のゲーム価値が増加するものとすれば、プレイヤーがゲーム中でアイテムを売却したときに、そのプレイヤーのゲーム価値が増加することになる。よって、プレイヤーは、ゲーム中に使用可能なアイテムを、自分のゲーム価値に変えることで、自分のゲーム価値を増やすことができる。尚、ゲーム内容やゲーム状態変更要素の種類によっては、増減情報が、プレイヤーのゲーム価値を減少させるものであってもよい。
【００１７】
また、請求項６の発明は、請求項１のゲーム装置において、上記ゲーム進行手段は、勝敗に応じてゲーム価値を増減する賭けゲームを実行する賭けゲーム実行手段を有し、上記ゲーム価値変動要素は、上記賭けゲーム実行手段が実行する賭けゲームでの勝敗態様情報であり、上記変動要素選択手段は、上記プレイヤーが上記賭けゲームで勝ったこと又は負けたことを上記ゲーム価値変動条件として、該賭けゲームのゲーム結果に対応する勝敗態様情報を選択することを特徴とするものである。
【００１８】
このゲーム装置においては、ゲーム進行手段が進行するゲーム中に用意され、賭けゲーム実行手段により実行される賭けゲームで、プレイヤーが勝ったこと又は負けたことをゲーム価値変動条件とする。上記で例示したＲＰＧの場合、ゲーム中に用意されたカジノでのスロットゲームで、プレイヤーが、所定の図柄を揃えることがゲーム価値変動条件となる。この場合、ゲーム価値変動要素を、そのスロットマシンの当たり図柄の種類である勝敗態様情報とし、この勝敗態様情報に関連付けされた増減情報を、所定量のゲーム価値が増加するものとすれば、プレイヤーがそのゲーム中のスロットゲームで当たり図柄を揃えたときに、そのプレイヤーのゲーム価値が増加することになる。よって、プレイヤーは、ゲーム中に用意された賭けゲームに勝つことで、自分のゲーム価値を増やすことができる。尚、賭けゲームの種類やルールによっては、増減情報が、プレイヤーのゲーム価値を減少させるものであってもよい。尚、ここでいう賭けゲームは、進行手段が進行するゲーム内容によって種々考えられる。例えば、上記スロットゲームのほか、ポーカーゲームや競馬ゲーム等が挙げられる。
【００１９】
また、請求項７の発明は、請求項１のゲーム装置において、上記表示手段により表示されるゲーム画面上に出現するゲーム要素の動作を制御するゲーム要素制御手段を有し、上記ゲーム価値変動要素は、上記ゲーム要素に関連するゲーム要素関連情報であり、上記変動要素選択手段は、上記プレイヤーが上記ゲーム要素に対して所定の特典獲得条件を満たしたことを上記ゲーム価値変動条件として、該ゲーム要素に対応するゲーム要素特定情報を選択することを特徴とするものである。
【００２０】
このゲーム装置においては、プレイヤーが操作する操作対象が、ゲーム進行中にゲーム画面上に出現するゲーム要素に対して、所定の特典獲得条件を満たしたことをゲーム価値変動条件とする。上記で例示したＲＰＧの場合、そのゲーム中に、プレイヤーが操作対象である戦士等を操作してゲーム要素である敵モンスターを倒したり、ゲーム要素である宝石を入手したりすることがゲーム価値変動条件となる。この場合、ゲーム価値変動要素を、その敵モンスターや宝石の種類を特定するためのゲーム要素関連情報とし、このゲーム要素関連情報に関連付けされた増減情報を、所定量のゲーム価値が増加するものとすれば、プレイヤーがゲーム中で敵モンスターを倒したり、宝石を入手したりしたときに、そのプレイヤーのゲーム価値が増加することになる。よって、プレイヤーは、ゲームを進めながら自分のゲーム価値を増やすことができる。尚、ゲーム内容やゲーム状態変更要素の種類によっては、増減情報が、プレイヤーのゲーム価値を減少させるものであってもよい。
【００２１】
また、本出願人は、プレイヤーが所有者として登録された城に、他のプレイヤーが戦士等の操作対象を操作して、その城の占領を目指してプレイする対戦型ＲＰＧを提案している。このようなゲームに本請求項のゲーム装置を適用した場合、上記ゲーム要素は、他のプレイヤーが操作する操作対象となり、この他のプレイヤーによる城の占領を阻止したことをゲーム価値変動条件とする。この場合、ゲーム価値変動要素を、その他のプレイヤーが操作する操作対象が参加した城の種類を特定するための城特定情報をゲーム要素関連情報とし、このゲーム要素関連情報に関連付けされた増減情報を、所定量のゲーム価値が増加するものとすれば、城の所有者であるプレイヤーがその城に挑戦してきた他のプレイヤーによる城の占領を阻止したときに、そのプレイヤーのゲーム価値が増加することになる。
【００２２】
また、請求項８の発明は、請求項１のゲーム装置において、上記ゲーム価値変動要素は、上記ゲーム進行手段により進行されるゲームの目的達成要件に関連する達成目的情報であり、上記変動要素選択手段は、上記プレイヤーが上記操作対象を操作することで上記目的達成要件を満たしたことを上記ゲーム価値変動条件として、該目的達成要件に対応する達成目的特定情報を選択することを特徴とするものである。
【００２３】
このゲーム装置においては、プレイヤーがゲームの目的達成要件を満たしたことをゲーム価値変動条件とする。上記で例示したＲＰＧの場合、プレイヤーが操作対象である戦士等を操作して迷宮の脱出に成功することがゲーム価値変動条件となる。この場合、ゲーム価値変動要素を、目的達成要件に係る迷宮の種類を特定するための迷宮特定情報を達成目的関連情報とし、この達成目的関連情報に関連付けされた増減情報を、所定量のゲーム価値が増加するものとすれば、プレイヤーが迷宮の脱出に成功したときに、そのプレイヤーのゲーム価値が増加することになる。よって、プレイヤーに対して、迷宮の脱出というゲーム目的を達成したという達成感に与えることができることに加え、自分のゲーム価値が増えるという付加価値を提供することができる。尚、ゲーム内容や目的達成要件によっては、増減情報が、プレイヤーのゲーム価値を減少させるものであってもよい。尚、ここでいう目的達成要件とは、ゲーム進行手段が進行するゲーム内容によって種々考えられる。例えば、本ゲーム装置で行われるゲームをクリアしたり、上記ＲＰＧの例では複数の迷宮が用意されているときには、その迷宮をクリアしたり、あるいは、単にクリアするだけでなく、あるアイテムを獲得する等の特定のクリア条件を満たした状態でクリアしたりすることである。また、このようにゲームをクリアするものではなく、例えば、ゲーム進行中にアイテムを獲得する等のゲーム進行中に用意されている目的達成要件も含まれる。
【００２４】
また、請求項９の発明は、請求項１、２、３、４、５、６、７又は８のゲーム装置の構成を有するアーケードゲーム機である。
【００２５】
このアーケードゲーム機は、請求項１、２、３、４、５、６、７又は８のゲーム装置の構成を有するので、プレイヤーは、ゲームセンター等において、従来の家庭用ゲーム機やビデオゲーム機などで主に行われていたゲームのゲーム性に加え、ゲーム価値の増減に関するゲーム性も楽しむことができる。
【００２６】
また、請求項１０の発明は、プレイヤーの所持するゲーム価値を受け取るゲーム価値受取工程と、上記プレイヤーに対してゲーム価値を払い出すゲーム価値払出工程とを備え、上記プレイヤーがゲーム画面上に出現する操作対象を操作することで展開されるゲームを実行するゲーム実行方法であって、上記ゲームの進行中に、上記プレイヤーが上記操作対象を操作することで所定のゲーム価値変動条件を満たしたとき、該ゲーム価値変動条件に対応する上記プレイヤーのゲーム価値を変動させるためのゲーム価値変動要素を選択する変動要素選択工程と、上記ゲーム価値変動要素に関連付けられ、上記プレイヤーの所持するゲーム価値の増減量を決定する増減情報を記録した増減情報記録媒体から、上記変動要素選択工程で選択されたゲーム価値変動要素に対応する増減情報を読み出す増減情報読出工程と、上記増減情報読出工程で読み出された増減情報に従って、上記プレイヤーのゲーム価値の量を変動させるゲーム価値変動工程とを有することを特徴とするものである。
【００２７】
このゲーム実行方法においては、上記請求項１のゲーム装置がもつ各手段と同様の処理を実行することで、プレイヤーに対して、従来の家庭用ゲーム機やビデオゲーム機などで主に行われていたゲームのゲーム性に加え、ゲーム価値の増減に関するゲーム性をも提供することができる。
【００２８】
また、請求項１１の発明は、プレイヤーの所持するゲーム価値を受け取るゲーム価値受取手段と、該プレイヤーに対してゲーム価値を払い出すゲーム価値払出手段とを備え、上記プレイヤーがゲーム画面上に出現する操作対象を操作することで展開されるゲームを実行するゲーム装置を構成するコンピュータを機能させるためのプログラムを記録したコンピュータ読取可能な記録媒体であって、上記ゲームの進行中に、上記プレイヤーが上記操作対象を操作することで所定のゲーム価値変動条件を満たしたとき、該ゲーム価値変動条件に対応する上記プレイヤーのゲーム価値を変動させるためのゲーム価値変動要素を選択する変動要素選択手段、上記ゲーム価値変動要素に関連付けられ、上記プレイヤーの所持するゲーム価値の増減量を決定する増減情報を記録した増減情報記録媒体から、上記変動要素選択手段により選択されたゲーム価値変動要素に対応する増減情報を読み出す増減情報読出手段、及び上記増減情報読出手段により読み出された増減情報に従って、上記プレイヤーのゲーム価値の量を変動させるゲーム価値変動手段として、上記コンピュータを機能させるためのプログラムを記録したことを特徴とするものである。
【００２９】
この記録媒体に記録されたプログラムは、請求項１のゲーム装置を構成するコンピュータに実行されることで、プレイヤーに対して、従来の家庭用ゲーム機やビデオゲーム機などで主に行われていたゲームのゲーム性に加え、ゲーム価値の増減に関するゲーム性をも提供することができる。
【００３０】
また、請求項１２の発明は、プレイヤーの所持するゲーム価値を受け取り、上記プレイヤーがゲーム画面上に出現する操作対象を操作することで展開されるゲーム中に、該プレイヤーのゲーム価値の量を変動させるために用いるデータを記録したコンピュータ読取可能な記録媒体であって、上記ゲームの進行中に、上記プレイヤーが上記操作対象を操作することで所定のゲーム価値変動条件を満たしたときに選択される該プレイヤーのゲーム価値を変動させるためのゲーム価値変動要素データと、プレイヤーの所持するゲーム価値の増減量を決定する増減情報データとを対応づけて記録したデータ領域を有することを特徴とするものである。
【００３１】
この記録媒体に記録されたデータは、ゲーム価値変動要素データと増減情報データとを対応づけて記録したデータ領域を有するので、請求項１のゲーム装置における変動要素選択手段及び増減情報読出手段により、そのデータを利用することが可能となる。よって、本記録媒体に記録されたゲーム価値変動要素データと増減情報データを、請求項１のゲーム装置で利用することにより、プレイヤーに対して、従来の家庭用ゲーム機やビデオゲーム機などで主に行われていたゲームのゲーム性に加え、ゲーム価値の増減に関するゲーム性をも提供することができる。
【００３２】
尚、上記請求項１乃至１２発明において、「ゲーム価値」とは、ゲームの結果によって得られたり、失われたりする、ゲームセンタ等で使用するメダルやコイン、あるいは、これらの類する有体物を意味するものである。
【発明の効果】
【００３３】
請求項１乃至１２の発明によれば、メダルゲーム機等がもつゲーム価値の増減に関するゲーム性と、プレイヤーが操作対象を操作することでゲーム展開されるゲームがもつゲーム性とを融合した新規なゲーム性を提供することが可能となるという優れた効果がある。
【００３４】
特に、請求項２の発明によれば、ゲーム内容が互いに異なるゲーム情報ごとに支払うゲーム価値を異ならせる等の工夫が可能となり、プレイヤーに対して、より高いゲーム性を提供することができるという優れた効果がある。
【００３５】
また、請求項３の発明によれば、ゲーム進行中に、アイテムや魔法等のゲーム状態変更要素を使用するときにゲーム価値を減るように設定することで、ゲームの進行とゲーム価値とのバランスを考慮する必要が生じるので、ゲーム攻略が多様化し、プレイヤーに対して、より高いゲーム性を提供することができるという優れた効果がある。
【００３６】
また、請求項４の発明によれば、自分のゲーム価値を、ゲーム中に使用可能なアイテム等のゲーム状態変更要素に変えることでゲームの進行が楽にすることができるが、ゲームの進行とゲーム価値とのバランスを考慮する必要が生じるので、ゲーム攻略が多様化し、プレイヤーに対して、より高いゲーム性を提供することができるという優れた効果がある。
【００３７】
また、請求項５の発明によれば、ゲーム中に使用可能なアイテム等のゲーム状態変更要素を、自分のゲーム価値に変えることで、自分のゲーム価値を増やすことができるが、ゲームの進行とゲーム価値とのバランスを考慮する必要が生じるので、ゲーム攻略が多様化し、プレイヤーに対して、より高いゲーム性を提供することができるという優れた効果がある。
【００３８】
また、請求項６の発明によれば、プレイヤーのゲーム価値を増減させることができる賭けゲームが通常ゲーム状態中に実行されるので、プレイヤーに対して、通常ゲーム状態とは別のゲーム性を提供することができるという優れた効果がある。
【００３９】
また、請求項７の発明によれば、ゲーム要素及び特典獲得条件の設定を工夫することにより、ゲーム進行中にゲーム価値を増減させる態様を多様化することができ、プレイヤーに対して、より高いゲーム性を提供することができるという優れた効果がある。
【００４０】
また、請求項８の発明によれば、そのゲームの目的達成条件を達成することにより、ゲーム価値を増加させるように設定することで、その目的達成条件のクリアに対するプレイヤーの意欲を増すことができ、プレイヤーに対して、より高いゲーム性を提供することができるという優れた効果がある。
【発明を実施するための最良の形態】
【００４１】
以下、本発明を、ＲＰＧを実行するゲーム装置であるメダルゲーム機に適用した一実施形態について説明する。本実施形態に係るメダルゲーム機では、プレイヤーが操作対象であるゲーム主人公の戦士キャラタ（以下、「主人公」という。）を操作し、ダンジョン内に出現するゲーム要素である宝石を拾って、そのダンジョンから脱出することをゲーム目的とする探検ゲームが展開される。そのダンジョンでは、主人公の行く手を阻むゲーム要素である敵モンスターが出現するので、プレイヤーは、そのモンスターに倒されることなく、ダンジョンを脱出できるように主人公を操作する。プレイヤーに操作される主人公は、モンスターに対抗するため、モンスターを攻撃したり、ゲーム状態変更要素である種々のアイテムや魔法を使用したりしながら、ダンジョン内を進み、脱出を試みる。また、本探検ゲームには、複数のダンジョンが用意されており、各プレイヤーは、すべてのダンジョンのクリアを目指す。
【００４２】
また、本実施形態に係るメダルゲーム機では、ダンジョンの他に城を占領することをゲーム目的とするゲームも展開される。このゲームでは、プレイヤーが城の占領に成功すると、その城の城主となることができ、城主となったプレイヤーは、自分の城を占領するために挑戦してくる他のプレイヤーと、一種の対戦ゲームを行うことができる。尚、この対戦ゲームのゲーム進行内容は、上記探検ゲームのものと同様であり、また、本対戦ゲームには、複数の城が用意されており、各プレイヤーは、これらの城の中から挑戦する城を選択し、その城の占領を目指す。
【００４３】
以下、本実施形態に係るメダルゲーム機全体の構成について説明する。
図２は、本実施形態に係るメダルゲーム機全体の概略構成図である。このゲーム機は、各プレイヤーが操作する１２個のゲームユニット１と、これらゲームユニット１を統括的に制御する中央制御装置２０とで構成されている。プレイヤーは、ゲーム価値であるメダルをゲームユニット１に投入することで、そのゲームユニット１でのゲームに参加することができる。各ゲームユニット１は、ＬＡＮケーブル等の通信ラインにより、中央制御装置２０に接続されている。本メダルゲーム機では、最大１２人のプレイヤーが同時にゲームをプレイすることが可能である。また、中央制御装置２０は、１２個のゲームユニット１のうちの１つのゲームユニット内部に配置されている。
【００４４】
図３は、ゲームユニット１の外観図である。ゲームユニット１は、ゲームの進行に応じたゲーム画面を表示する表示手段としてのディスプレイ２と、ゲームの進行に応じた効果音やバックミュージック等の音を流すスピーカー３と、プレイヤーがゲーム画面上に出現する主人公を操作するための操作手段である操作レバー４及び３つの操作ボタン５ａ，５ｂ，５ｃと、メダルの払出し等を行うためのペイアウトボタン５ｄと、後述する磁気カードを取り出してゲームを終了するための保存終了ボタン５ｅとが設けられている。プレイヤーは、ディスプレイ２に表示されるゲーム画面を見ながら、操作レバー４及び３つの操作ボタン５ａ，５ｂ，５ｃを操作することで、そのゲーム画面上に出現する主人公を移動させたり、アイテムを使用したりすることができる。また、ゲームユニット１には、プレイヤーが支払うメダルを受け取るためのゲーム価値受取手段としてのメダル投入口６、プレイヤーに対してメダルを払い出すためのゲーム価値払出手段としてのメダル払出ロ７、ゲームを終了したプレイヤーが次回のプレイ時にゲームの続きを行うために、そのプレイヤーの個人情報や終了時のゲーム状態等を記録する磁気カード９を挿入したり、取り出したりするためのカード挿入取出口８なども設けられている。
【００４５】
図４は、ゲームユニット１内部の概略構成を示すブロック図である。ゲームユニット１は、ゲームユニット１内の各部を制御するメイン基板１０と、ディスプレイ２の画像表示を制御するための画像表示制御部１１と、スピーカー３で流す音を制御するための音響制御部１２と、操作レバー４や操作ボタン５ａ，５ｂ，５ｃ及びペイアウトボタン５ｄ並びに保存終了ボタン５ｅからの信号を受け取って所定の制御信号に変換する操作制御部１３と、カード挿入取出口８に挿入された磁気カード９に対してデータの書き込み及び読み出しを行う磁気カード書込読出部１４と、ペイアウトボタン５ｄの操作に応じてメダルの払い出し等を制御するためのメダル払出制御部１５とを有する。また、ゲームユニット１には、メダル枚数を電子データに変換したゲーム価値であるクレジットデータ等の各種データを一時的に記録するＲＡＭ１６や、上記探検ゲーム及び上記対戦ゲームに必要なゲーム実行プログラム等および各種データベースが格納されたＲＯＭ１７なども設けられている。メイン基板１０は、画像表示制御部１１、音響制御部１２、操作制御部１３、磁気カード書込読出部１４、メダル払出制御部１５、ＲＡＭ１６及びＲＯＭ１７に、それぞれ接続されている。また、メイン基板１０は、インターフェース１８を介して、中央制御装置２０に接続されており、中央制御装置２０の後述する中央制御基板２１とのデータ通信が可能となっている。
【００４６】
図５は、中央制御装置２０の概略構成を示すブロック図である。中央制御装置２０は、各ゲームユニット１のメイン基板１０との間でデータ通信を行い、本メダルゲーム機全体を制御する中央制御基板２１と、各ゲームユニット１で行われる各ゲームを統括的に制御するための制御プログラム等を記録したプログラム用ＲＯＭ２２と、各種データベースを記録したデータベース用ＲＯＭ２３とを有する。また、中央制御基板２１は、インターフェース２４を介して、各ゲームユニット１のメイン基板１０に接続されており、各メイン基板１０とのデータ通信が可能となっている。
【００４７】
本メダルゲーム機において、プレイヤーがゲームを終了する場合には、次回のゲーム再開時に、その終了時のゲーム状態を復元させるためのゲーム状態データを、磁気カード書込読出部１４により磁気カード９に記録する。このゲーム状態データには、プレイヤーネーム（主人公の名前）、最終プレイ時間、主人公の能力、所有するアイテムの種類等のプレイヤー情報と、ゲーム終了時の主人公がいるダンジョン又は城の種類、そのダンジョン又は城内における主人公、敵モンスター又はアイテムの位置等のフィールドデータ等のゲーム情報などが含まれる。一方、プレイヤーが一度終了したゲームの続きを行う場合には、自分の磁気カード９をカード挿入取出口８に挿入する。これにより、磁気カード書込読出部１４は、その磁気カード９に記録されたゲーム状態データを読み取る。このゲーム状態データは、ＲＡＭ１６に記録され、ＲＯＭ１７に記録されたゲーム実行プログラムに読み込まれる。これにより、プレイヤーは、ゲーム実行プログラムが実行するゲーム進行手段としてのメイン基板１０により進行されるゲームにおいて、前回の続きのゲーム状態からプレイを再開することができる。
【００４８】
尚、磁気カード９に全てのゲーム状態データを記録する必要はなく、例えば、磁気カード９にプレイヤーＩＤを記録しておき、プレイヤー特定情報であるプレイヤーＩＤに対応するゲーム状態データの一部又は全部を、中央制御装置２０のデータベース用ＲＯＭ２３に記録しておくようにしてもよい。この場合、磁気カード９からプレイヤーＩＤを読み取った後、そのプレイヤーＩＤに対応するゲーム状態データを、中央制御装置２０からゲームユニット１のＲＡＭ１６にダウンロードすることで、上記と同様に、前回の続きのゲーム状態からプレイを再開することができる。
【００４９】
次に、本メダルゲーム機１の各ゲームユニット１で行われるゲームの流れについて説明する。
図１は、各ゲームユニット１のＲＯＭ１７に格納されているゲーム実行プログラムを実行するメイン基板１０によるゲームの流れを示すフローチャートである。プレイヤーは、ゲームに参加する場合、まず磁気カード９をカード挿入取出口８に挿入する（Ｓ１）。初めてプレイする場合には、プレイヤーは、本メダルゲーム機が設置されているゲームセンタ等の店員あるいは自動販売機などから、新規な磁気カード９を入手し、その磁気カード９をカード挿入取出口８に挿入する。また、前回のゲームの続きをしようとするプレイヤーは、前回終了時のゲーム状態データに記録した磁気カード９をカード挿入取出口８に挿入する。このようにして磁気カード９を受け取ったゲームユニット１は、磁気カード書込読出部１４により、磁気カード９の記録内容を読み出し、そのデータをメイン基板１０に送る。メイン基板１０は、受け取った記録内容に応じて、新規なプレイか否かを判断する（Ｓ２）。
【００５０】
上記Ｓ３により新規プレイでないと判断された場合、メイン基板１０は、図６に示すように、中央制御基板２１に対して、磁気カード９に記録されたゲーム状態データが有するプレイヤーＩＤのＩＤ番号を送信する。これを受信した中央制御基板２１は、前回の続きであると判断し、そのメイン基板１０に対して、新規なＩＤ番号を返信する。この新規ＩＤ番号を受信したメイン基板１０は、磁気カード書込読出部１４により、磁気カード９に記録されたゲーム状態データを読み出し、これをＲＡＭ１６に記録する。そして、メイン基板１０は、そのゲーム状態データに基づき、ＲＯＭ１７に記録されたプログラムをロードし、画像表示制御部１１により、ディスプレイ２に、前回の続きのゲーム画面が表示させて、ゲームが開始され（Ｓ５）、ゲームが進行する。
【００５１】
一方、上記Ｓ２により新規プレイであると判断された場合、メイン基板１０は、図７に示すように、中央制御基板２１に対して、ダミーＩＤを送信する。これを受信した中央制御基板２１は、新規プレイと認識し、そのメイン基板１０に対して、新規なＩＤ番号を返信する。この新規ＩＤ番号を受信したメイン基板１０は、初期情報の入力及び設定を行う（Ｓ３）。この初期情報の入力及び設定では、画像表示制御部１１により、ディスプレイ２に、図８（ａ）に示す名前入力画面を表示させる。プレイヤーは、操作レバー４及び操作ボタン５ａを操作し、その名前入力画面に表示されている５０音ボタンのカーソルを移動させて、主人公の名前を入力する。入力後、名前入力画面中の決定ボタンを選択すると、図８（ｂ）に示す名前確認画面が表示され、その画面中のＹｅｓボタンを選択することで名前を決定する。次に、ディスプレイ２には、図８（ｃ）に示す職業選択画面が表示される。この画面では、プレイヤーが操作する主人公の職業を選択する。以上の入力又は選択の操作内容は、操作制御部１３からメイン基板１０に送られ、プレイヤー情報としてＲＡＭ１６に記録される。
【００５２】
このようにして初期情報の入力・設定処理が終了したら、メイン基板１０によりゲームが開始され（Ｓ５）、画像表示制御部１１により、ディスプレイ２に、図９に示すメインメニュー画面が表示される。このメインメニュー画面には、ダンジョンを探検する探検ゲームボタンと、他人が所有する城に挑戦する対戦ゲームボタンと、これらゲーム中に使用できる魔法カードの一覧を表示させるカード一覧ボタンとが用意されている。この画面で、プレイヤーは、探検ゲームをするか、対戦ゲームをするかを選択する。
【００５３】
ここで、プレイヤーが探検ゲームを選択した場合、メイン基板１０は、画像表示制御部１１により、ディスプレイ２に、図１０に示すダンジョン選択画面を表示させ、ダンジョン選択処理を実行する。このダンジョン選択画面には、各ダンジョンを示す表示エリアが表示される。そして、プレイヤーは、操作レバー４でカーソルを移動させることにより、挑戦するダンジョンを選択する。各表示エリアには、それぞれダンジョン名と、挑戦するのに必要なメダル枚数（挑戦費用）が表示されている。各ダンジョンでは、それぞれ、そのダンジョン名に由来するゲーム展開がなされ、互いに異なるゲームが進行される。プレイヤーが、例えば、ゆかいなダンジョンを選択した場合、図示の画面上方部分に、選択されたダンジョンが表示される。そして、プレイヤーは、この選択したダンジョンに挑戦することを決めたら、操作ボタン５ａを押す。このボタン操作は、操作制御部１３からメイン基板１０に送られる。そして、メイン基板１０は、ＲＡＭ１６に記録されているクレジットデータを、挑戦費用に相当する分だけ減少させる。
【００５４】
具体的に説明すると、ゲームユニット１のＲＯＭ１７は、各ダンジョンのゲーム内容を含むゲーム情報としてのダンジョンデータを記録したダンジョン情報データベースを記録するゲーム情報記録媒体としてのデータ領域を有している。このダンジョン情報データベースには、ダンジョンデータを特定するためのゲーム価値変動要素としてのゲーム情報特定情報であるダンジョン名データに関連付けて、増減情報である挑戦費用データがそれぞれ記録されている。すなわち、このダンジョン情報データベースは、増減情報記録媒体としても機能している。メイン基板１０は、図１０に示したダンジョン選択画面で選択されたダンジョンに関するダンジョン選択信号を操作制御部１３から受け取ると、プレイヤーにより選択されたダンジョン名を認識する。また、このダンジョン選択信号を操作制御部１３から受け取ることにより、ゲーム価値変動条件が満たされる。よって、メイン基板１０は、変動要素選択手段及び増減情報読出手段として機能し、上記ダンジョン情報データベースからダンジョン名データを選択し、このダンジョン名データに対応した挑戦費用データを読み出す。そして、メイン基板１０は、ゲーム価値変動手段として機能し、この読み出した挑戦費用データに相当するクレジット分を、ＲＡＭ１６に記録されたクレジットデータから減らす処理を行う。
【００５５】
ここで、ＲＡＭ１６に記録されているクレジットデータが、挑戦費用データに相当するクレジット分に満たない場合、プレイヤーに対してメダルの追加投入を促す画面を表示させる。メダルが投入されたら（Ｓ６）、図示しないメダル投入センサによりメダル枚数が検出され、メイン基板１０は、そのメダル投入枚数に応じたクレジットデータをＲＡＭ１６に記録する（Ｓ７）。尚、メダル投入を促しても、メダルが投入されない場合には、そのダンジョンへの挑戦を許可しない。以下、クレジットデータを減らす処理が行われるときにも、上記と同様にメダル投入を促す。
【００５６】
また、メイン基板１０は、ダンジョン選択信号からダンジョン名を認識すると、ゲーム情報選択手段として機能し、上記ダンジョン情報データベースから、そのダンジョン名データに対応するダンジョンデータを読み出す。そして、そのダンジョンデータに基づいたプログラムをロードして、画像表示制御部１１により、ディスプレイ２にゲーム画面を表示させる。
【００５７】
一方、図９に示したメインメニュー画面で、プレイヤーが対戦ゲームを選択した場合、メイン基板１０は、画像表示制御部１１により、ディスプレイ２に、図１１に示す城選択画面を表示させ、城選択処理を実行する。この城選択画面には、各城を示す表示エリアが表示される。そして、プレイヤーは、操作レバー４でカーソルを移動させることにより、挑戦する城を選択する。各表示エリアには、それぞれ城名と、挑戦費用が表示されている。各城では、それぞれ、互いに異なるゲームの進行状態が用意されており、種々のゲーム展開がなされる。また、各城では、それぞれ、過去に城の占領に成功したプレイヤーが城主となっており、プレイヤーは、その城主であるプレイヤーと対戦することになる。
【００５８】
具体的に説明すると、中央制御装置のデータベース用ＲＯＭ２３は、各城のゲーム内容を含むゲーム情報としての城データを記録した城情報データベースを記録するゲーム情報記録媒体としてのデータ領域を有している。この城情報データベースに記録されている城データに含まれる城名データには、プレイヤー特定情報である城主のＩＤが関連付けされている。
【００５９】
図１２及び図１３は、城選択処理におけるメイン基板１０と中央制御基板２１との間のデータ通信を説明する説明図である。メイン基板１０は、プレイヤーが図９に示したメインメニュー画面で対戦ゲームを選択したときのボタン操作により、操作制御部１３からの信号を受け取ると、中央制御基板２１に対戦データ要求を送信する。これを受信した中央制御基板２１は、ゲームユニット１のディスプレイ２に図１１に示した城選択画面を表示させるための画像データを返信する。そして、ディスプレイ２に表示された城選択画面で、プレイヤーにより挑戦する城が選択されると、メイン基板１０は、そのボタン操作による操作制御部１３からの城選択信号を受け取る。そして、メイン基板１０は、その城選択信号に応じた城名データを含む城データ要求を、中央制御基板２１に送信する。これを受信した中央制御基板２１は、その城データ要求に含まれる城名データに対応する城データを、上記城情報データベースから読み出す。そして、その城データは、図１２に示すように、メイン基板１０に返信される。そして、この城データを受信したメイン基板１０は、その城データに基づくプログラムをロードし、ゲームが進行する。
【００６０】
ここで、中央制御基板２１が城データ要求を受信したときに、その城が他のプレイヤーによりプレイされている、すなわち、その城データ要求に係る城データが他のゲームユニット１にダウンロードされている場合がある。この場合、中央制御基板２１は、城データの代わりに、挑戦不許可データを送信する。この不許可データを受信したメイン基板１０は、画像表示制御部１１により、ディスプレイ２に、その城には挑戦できない旨のメッセージを表示し、再度、図９に示したメインメニュー画面を表示する。
【００６１】
また、ゲームユニット１のＲＯＭ１７は、各城データを特定するためのゲーム価値変動要素としてのゲーム情報特定情報である城名データに関連付けて、増減情報である挑戦費用データがそれぞれ記録された城挑戦情報データベースを記録する増減情報記録媒体としてのデータ領域を有している。メイン基板１０は、上述のようにして、図１１に示した城選択画面で選択された城に関する城選択信号を操作制御部１３から受け取ることにより、ゲーム価値変動条件が満たされる。よって、上記探検ゲームと同様に、ＲＯＭ１７に記録された城挑戦情報データベースから城名データに対応した挑戦費用データを読み出し、その挑戦費用データに相当するクレジット分を、ＲＡＭ１６に記録されたクレジットデータから減らす処理を行う。
【００６２】
このようにしてゲームが進行すると、ディスプレイ２には、図１４に示すようなゲーム画面が表示される。尚、ゲーム画面は、探検ゲームも対戦ゲームもほぼ同様であり、そのゲームの進み方も同様であるので、以下、探検ゲームを例に挙げて説明する。
【００６３】
図１４に示すゲーム画面には、ダンジョン内のフィールドであるダンジョン画面が表示されている。また、画面上部には、ダンジョンのフロアー数、主人公の体力及びプレイヤーのクレジットデータに基づくクレジット数が表示されており、画面右下部分には、プレイヤーが使用可能な主人公の所有する複数の魔法カードが表示されている。上記ダンジョン画面は、ダンジョンのフロアーを上方から見たものであり、図示の画面には、主人公、敵モンスター、ゲーム要素であるアイテムカードが表示されている。
【００６４】
プレイヤーは、操作レバー４及び操作ボタン５ａ，５ｂ，５ｃを操作して、主人公を移動させたり、敵モンスターに攻撃したり、所有する魔法カードを使用したりすることができる。また、敵モンスターも主人公に対して攻撃してくるので、その攻撃を受けると、主人公の体力が減り、体力が０になると、ゲームオーバーとなる。
【００６５】
主人公が所有する魔法カードを使用する場合、プレイヤーは、操作ボタン５ｃを押す。これにより、メイン基板１０は、画像表示制御部１１により、ディスプレイ１１に、図１５に示すカード選択画面を表示させる。このカード選択画面では、画面右下にある魔法カードにカーソルが出現する。また、このカード選択画面には、カーソルで選択されている魔法カードの内容を示すカード内容画面が画面左側部分に表示される。このカード内容画面には、その魔法カードを使用したときの効果と、その魔法カードを使用するのに必要なメダル枚数（カード使用費用）が表示されている。プレイヤーは、操作レバー４でカーソルを移動させ、使用を希望する魔法カードを選択した後、操作ボタン５ａを押す。このボタン操作は、操作制御部１３からメイン基板１０に送られる。そして、メイン基板１０は、ＲＡＭ１６に記録されているクレジットデータを、魔法カードのカード使用費用に相当する分だけ減少させるように変更するクレジットデータ変動処理を実行する（Ｓ８）。
【００６６】
具体的に説明すると、ゲームユニット１のＲＯＭ１７には、ゲーム状態変更要素である魔法カードデータを、プレイヤーが使用可能な状態で記録した使用可能要素記録媒体としての使用可能データ領域と、魔法カードデータをプレイヤーが使用不可能な状態で記録した使用不可能要素記録媒体としての使用不可能データ領域とを有する魔法カードデータベースが格納されている。この魔法カードデータベースに記録された各魔法カードデータは、カード名データに関連付けられた各種データを有している。プレイヤーが使用可能な魔法カードデータには、メイン基板１０が実行するカード使用プログラムによる読み出しを可能にする読出許可符号が付加されており、その読出許可符号が付加された魔法カードデータが記録されている使用可能データ領域が使用可能要素記録媒体として機能し、その読出許可符号が付加されていない魔法カードデータが記録されている使用不可能データ領域が使用不可能要素記録媒体として機能する。尚、図１４のゲーム画面又は図１５のカード選択画面に表示されている魔法カードは、使用可能データ領域に記録されている魔法カードデータの一部である。また、魔法カードデータは、ゲーム価値変動要素としての変更要素特定情報であるカード名データに関連付けて、カード使用費用データを含む各種増減情報も記録されている。すなわち、魔法カードデータベースは、増減情報記録媒体としても機能している。
【００６７】
メイン基板１０は、図１５に示したカード選択画面で選択された魔法カードに関するカード使用信号を受け取ると、プレイヤーの指示に基づく魔法カード名を認識する。そして、メイン基板１０は、ＲＡＭ１６に記録されているクレジットデータがカード使用費用データ以上あるときに使用決定手段として機能し、その魔法カードデータの使用を決定する。その後、メイン基板１０は、ゲーム状態変更手段として機能し、魔法カードデータベースからカード名データに対応するカード効果データを読み出して、そのカード効果データに基づいてゲーム状態を変更する。例えば、使用した魔法カードが敵モンスターに攻撃するものである場合、カード効果データの数値を敵モンスターへのダメージ計算に利用し、その算出結果に基づいて、敵モンスターの体力データを減少させる。
【００６８】
また、メイン基板１０により魔法カードデータの使用が決定されることにより、ゲーム価値変動条件が満たされる。よって、メイン基板１０は、変動要素選択手段及び増減情報読出手段として機能し、上記魔法カードデータベースからカード名データを選択し、このカード名データに対応したカード使用費用データを読み出す。そして、メイン基板１０は、ゲーム価値変動手段として機能し、この読み出したカード使用費用データに相当するクレジットデータを、ＲＡＭ１６に記録されたクレジットデータから減じる。
【００６９】
また、ダンジョン内には、図１４に示したゲーム画面に表示されているようなアイテムカードが存在する。プレイヤーが主人公を操作してアイテムカードを拾うと、魔法カードを入手することができる。
【００７０】
また、ダンジョン内には、所持する魔法カードを売却したり、所持していない魔法カードを購入したりすることができる図１６（ａ）に示すショップが用意されている。プレイヤーが主人公を操作してショップに入場した場合、所有する魔法カードを売却してクレジットに変えたり、そのショップで販売されている魔法カードを自分のクレジットを支払って購入したりすることができる。
【００７１】
上記ショップで魔法カードを購入する場合、プレイヤーは、図１６（ａ）に示すショップ画面において、操作レバー４を操作して、カーソルを「カードを買う」ボタンに合わせ、操作ボタン５ａを押す。これにより、メイン基板１０は、画像表示制御部１１により、ディスプレイ１１に、図１６（ｂ）に示す購入カード選択画面を表示させる。この購入カード選択画面では、画面上方部分に、そのショップで売っている魔法カードのカード一覧画面が表示され、画面左下に、カーソルで選択されている魔法カードの内容を示すカード内容画面が表示される。カード一覧画面には、魔法カードを購入するために必要なメダル枚数（カード購入費用）が表示されている。プレイヤーは、操作レバー４でカーソル４１２を移動させ、購入を希望する魔法カードを選択した後、操作ボタン５ａを押す。このボタン操作は、操作制御部１３からメイン基板１０に送られる。そして、メイン基板１０は、ＲＡＭ１６に記録されているクレジットデータを、その魔法カードのカード購入費用に相当する分だけ減少させるように変更するクレジットデータ変動処理を実行する（Ｓ８）。
【００７２】
具体的に説明すると、上記魔法カードデータベースには、ゲーム価値変動要素としての変更要素特定情報であるカード名データに関連付けられた増減情報として、カード購入費用データも記録されている。使用許可要求受取手段として機能するメイン基板１０は、図１６（ｂ）に示した購入カード選択画面で選択された魔法カードに関する使用許可要求としてのカード購入信号を受け取ると、プレイヤーの指示に基づく魔法カード名を認識する。そして、メイン基板１０は、ＲＡＭ１６に記録されているクレジットデータがカード購入費用データ以上あるときに使用許可手段として機能し、魔法カードデータベースの使用不可能データ領域にある魔法カードデータの使用を許可する。その後、メイン基板１０は、ゲーム状態変更要素記録手段として機能し、カード名データに対応する魔法カードデータに使用許可符号を付加する。これにより、その魔法カードデータは、魔法カードデータベースの使用可能データ領域に記録されることになり、プレイヤーにより使用可能となる。
【００７３】
また、メイン基板１０により使用不可能データ領域にある魔法カードデータの使用が許可されることにより、ゲーム価値変動条件が満たされる。よって、メイン基板１０は、変動要素選択手段及び増減情報読出手段として機能し、上記魔法カードデータベースからカード名データを選択し、このカード名データに対応したカード購入費用データを読み出す。そして、メイン基板１０は、ゲーム価値変動手段として機能し、この読み出したカード購入費用データに相当するクレジットデータを、ＲＡＭ１６に記録されたクレジットデータから減じる。
【００７４】
一方、上記ショップにおいて、所有する魔法カードを売却する場合、プレイヤーは、図１６（ａ）に示すショップ画面において、操作レバー４を操作し、カーソルを「カードを売る」ボタンに合わせ、操作ボタン５ａを押す。これにより、メイン基板１０は、画像表示制御部１１により、ディスプレイ１１に、図１６（ｃ）に示す売却カード選択画面を表示させる。この売却カード選択画面では、画面右下にある魔法カードにカーソルが出現し、カーソルで選択されている魔法カードの内容を示すカード内容画面が画面左側部分に表示される。また、この売却カード選択画面の画面上方部分には、選択された魔法カードと交換されるメダル枚数（カード売却収入）を表示した引取価格画面が表示される。プレイヤーは、操作レバー４でカーソルを移動させ、所持する魔法カードの中から売却する魔法カードを選択した後、操作ボタン５ａを押す。このボタン操作は、操作制御部１３からメイン基板１０に送られる。そして、メイン基板１０は、ＲＡＭ１６に記録されているクレジットデータを、その魔法カードのカード売却収入に相当する分だけ増加させるように変更するクレジットデータ変動処理を実行する（Ｓ８）。
【００７５】
具体的に説明すると、上記魔法カードデータベースには、ゲーム価値変動要素としての変更要素特定情報であるカード名データに関連付けられた増減情報として、カード売却収入データも記録されている。不使用許可要求受取手段として機能するメイン基板１０は、図１６（ｂ）に示した売却カード選択画面で選択された魔法カードに関する不使用許可要求としてのカード売却信号を受け取ると、プレイヤーの指示に基づく魔法カード名を認識する。そして、メイン基板１０は、その魔法カードがショップで売却可能なものであるときに不使用許可手段として機能し、魔法カードデータベースの使用可能データ領域にある魔法カードデータの不使用を許可する。その後、メイン基板１０は、ゲーム状態変更要素消去手段として機能し、カード名データに対応する魔法カードデータから使用許可符号を削除する。これにより、その魔法カードデータは、魔法カードデータベースの使用不可能データ領域に記録されることになり、プレイヤーは、その魔法カードデータを使用できなくなる。
【００７６】
また、メイン基板１０により使用可能データ領域にある魔法カードデータの不使用が許可されることにより、ゲーム価値変動条件が満たされる。よって、メイン基板１０は、変動要素選択手段及び増減情報読出手段として機能し、上記魔法カードデータベースからカード名データを選択し、このカード名データに対応したカード売却収入データを読み出す。そして、メイン基板１０は、ゲーム価値変動手段として機能し、この読み出したカード売却収入データに相当するクレジットデータを、ＲＡＭ１６に記録されたクレジットデータに足す。
【００７７】
また、配置されている敵モンスターの中には、倒すとクレジットが増加するゲーム要素である宝石モンスターが存在する。この宝石モンスターの動作は、ゲーム実行プログラムを実行するゲーム要素制御手段としてのメイン基板１０により制御されている。プレイヤーは主人公を操作して宝石モンスターを倒すという特典獲得条件を満たすと、メイン基板１０は、ＲＡＭ１６に記録されているクレジットデータを、その宝石モンスターの種類に応じたメダル枚数である宝石獲得額に相当する分だけ増加させるように変更するクレジットデータ変動処理を実行する（Ｓ８）。
【００７８】
具体的に説明すると、ゲームユニット１のＲＯＭ１７は、ゲーム価値変動要素としてのゲーム要素関連情報である宝石モンスター名データに関連付けて、増減情報である宝石獲得額データが記録された宝石モンスターデータベースを記録する増減情報記録媒体としてのデータ領域を有する。メイン基板１０は、宝石モンスターを攻撃するようにプレイヤーが主人公を操作することで、ダメージ計算を行い、その算出結果により宝石モンスターの体力データが０になることにより、ゲーム価値変動条件が満たされる。そして、メイン基板１０は、変動要素選択手段及び増減情報読出手段として機能し、上記宝石モンスターデータベースから宝石モンスター名データを選択し、この宝石モンスター名データに対応した宝石獲得額データを読み出す。そして、メイン基板１０は、ゲーム価値変動手段として機能し、この読み出した宝石獲得額データに相当するクレジット分を、ＲＡＭ１６に記録されたクレジットデータに足す処理を行う。
【００７９】
また、ダンジョン内には、自分のクレジットを賭けて、賭けゲームであるスロットゲームを行うことができるスロットマシンが配置された図１７（ａ）に示すカジノも用意されている。プレイヤーは主人公を操作してスロットマシンの前に移動させ、操作ボタン５ａを押すと、メイン基板１０は、賭けゲーム実行手段として機能し、画像表示制御部１１により、ディスプレイ２に、図１７（ｂ）に示すスロット画面を表示させる。このスロット画面には、画面中央部分に３つのリールが表示されており、この画面において、自分のクレジット増加を狙ってスロットゲームを行うことができる。
【００８０】
スロット画面において、操作ボタン５ｂを押すと、そのボタン操作が、操作制御部１３からメイン基板１０に送られる。そして、メイン基板１０は、ＲＡＭ１６に記録されているクレジットデータを、スロットゲームのプレイに必要なメダル枚数（プレイ費用）に相当する分だけ減少させるように変更するクレジットデータ変動処理を実行する（Ｓ８）。これにより、スロットゲームにおいて、自分のクレジットがベットされたことになる。その後、プレイヤーは、操作ボタン５ａを押すことにより、そのボタン操作が操作制御部１３からメイン基板１０に送られ、メイン基板１０は、画像表示制御部１１により、スロット画面のリールを回転表示させる。そして、プレイヤーは、再び操作ボタン５ａを押すことで、各リールを左から順に停止させることができる。このスロットゲームにおいて、勝敗態様である当たり図柄が揃った場合、メイン基板１０は、ＲＡＭ１６に記録されているクレジットデータを、その当たり図柄に応じたメダル枚数の配当額に相当する分だけ増加させるように変更するクレジットデータ変動処理を実行する（Ｓ８）。
【００８１】
具体的に説明すると、ゲームユニット１のＲＯＭ１７は、ゲーム価値変動要素としての勝敗態様情報である図柄データに関連付けて、増減情報である配当額データが記録された配当データベースを記録する増減情報記録媒体としてのデータ領域を有する。メイン基板１０は、プレイヤーがスロットゲームを行い、揃った図柄を認識した後、上記配当データベースから対応する図柄データを選択し、この図柄データに対応した宝石獲得額データを読み出す。揃った図柄が当たり図柄である場合、すなわち、配当額データがクレジットを増加させるものである場合、メイン基板１０は、変更要件選択手段及び増減条件選択手段として機能することになる。そして、メイン基板１０は、ゲーム価値変動手段として機能し、この読み出した配当額データに相当するクレジット分を、ＲＡＭ１６に記録されたクレジットデータに足す処理を行う。
【００８２】
また、本メダルゲーム機で行う探検ゲームでは、プレイヤーは、主人公を操作してダンジョンを単に脱出するのではなく、ダンジョン内の最終フロアーにあるゲーム要素としての特定アイテムカードを拾って、そのダンジョンを脱出することをゲームの目的達成要件としている。本実施形態では、プレイヤーが、ダンジョン内にある特定アイテムカードを見つけ出し、その特定アイテムカードを拾った後にダンジョンを脱出することで、その特定アイテムカードに応じたクレジットを獲得することができる。すなわち、プレイヤーは、主人公を操作して特定アイテムカードを持った状態で脱出に成功するという目的達成要件を満たすと、メイン基板１０は、ＲＡＭ１６に記録されているクレジットデータを、達成目的関連情報である脱出したダンジョンの種類に応じたメダル枚数であるクリアボーナス額に相当する分だけ増加させるように変更するクレジットデータ変動処理を実行する（Ｓ８）。
【００８３】
具体的に説明すると、ゲームユニット１のＲＯＭ１７に記録されたダンジョン情報データベースは、ゲーム価値変動要素としての達成目的関連情報であるダンジョン名データに関連付けて、増減情報であるクリアボーナス額データも記録している。すなわち、ダンジョン情報データベースは、この場合の増減情報記録媒体として機能している。プレイヤーが主人公を操作して、特定アイテムカードを所持してダンジョンを脱出したことにより、ゲーム価値変動条件が満たされる。これにより、メイン基板１０は、変動要素選択手段及び増減情報読出手段として機能し、上記ダンジョン情報データベースから、脱出したダンジョン名データを選択し、このダンジョン名データに対応したクリアボーナス額データを読み出す。そして、メイン基板１０は、ゲーム価値変動手段として機能し、この読み出したクリアボーナス額データに相当するクレジット分を、ＲＡＭ１６に記録されたクレジットデータに足す処理を行う。
【００８４】
また、プレイヤーは、主人公を操作してダンジョンを脱出したときに、そのダンジョン内で拾ったゲーム要素である宝石を所持している場合、その宝石に応じたクレジットを獲得することができる。すなわち、宝石を持った状態で脱出に成功するという特典獲得条件を満たした場合、メイン基板１０は、ＲＡＭ１６に記録されているクレジットデータを、その宝石の種類に応じたメダル枚数である宝石額に相当する分だけ増加させるように変更するクレジットデータ変動処理を実行する（Ｓ８）。
【００８５】
具体的に説明すると、ゲームユニット１のＲＯＭ１７は、ゲーム価値変動要素としてのゲーム要素関連情報である宝石名データに関連付けて、増減情報である宝石額データが記録された宝石情報データベースを記録する増減情報記録媒体としてのデータ領域を有する。プレイヤーは、宝石を持った状態で脱出に成功するという特典獲得条件を満たすと、ゲーム価値変動条件が満たされる。これにより、メイン基板１０は、変動要素選択手段及び増減情報読出手段として機能し、上記宝石情報データベースから宝石名データを選択し、この宝石名データに対応した宝石額データを読み出す。そして、メイン基板１０は、ゲーム価値変動手段として機能し、この読み出した宝石額データに相当するクレジット分を、ＲＡＭ１６に記録されたクレジットデータに足す処理を行う。
【００８６】
このようにして、主人公がダンジョンの脱出に成功すると、所定の演出の後、ディスプレイ２には、再び図１０に示したダンジョン選択画面が表示される。よって、プレイヤーは、このダンジョン選択画面において、次に挑戦するダンジョンを選択することで、同じダンジョン又は別のダンジョンに挑戦することができる。
【００８７】
また、プレイヤーが図９に示したメインメニュー画面で対戦ゲームを選択することで行われる城選択処理において、プレイヤーが、ディスプレイ２に表示された図１１に示した城選択画面で、自分が城主となっている城を選択した場合、プレイヤーは、自分のクレジットと自分の城を守るためのゲーム要素である護衛モンスターを追加することができる。この護衛モンスターの動作は、ゲーム実行プログラムを実行するゲーム要素制御手段としてのメイン基板１０により制御される。これにより、他のプレイヤーが自分の城に挑戦してきたときの城防衛力をアップさせることができる。
【００８８】
尚、プレイヤーが自分の城を選択したときに、その城に他のプレイヤーが挑戦している場合には、護衛モンスターを追加する処理はできないが、他のプレイヤーのプレイ状況を知ることができる。具体的には、中央制御基板２１から、他のプレイヤーが操作しているゲームユニット１のメイン基板１０に信号を送り、その信号に応じて、そのメイン基板１０から、例えば、他のプレイヤーが操作する操作対象の種類や装備（戦士等）、所有する魔法カードの種類、現在いるフロアー等の情報を返信する。これを受けた中央制御基板２１は、その情報を、その城の所有者であるプレイヤーのゲームユニット１のメイン基板１０に送る。これにより、プレイヤーのゲームユニット１のディスプレイ２には、その情報が表示され、プレイヤーは、他のプレイヤーのゲーム進行状況を知ることができる。
【００８９】
自分の城に護衛モンスターを追加する場合、そのプレイヤーは、図１１に示した城選択画面において、自分が城主となっている城を選択し、操作ボタン５ｃを押す。これにより、メイン基板１０は、画像表示制御部１１により、ディスプレイ１１に、図１８に示す護衛モンスター選択画面を表示させる。この護衛モンスター選択画面では、画面に表示されている各護衛モンスターカードにカーソルが出現する。各護衛モンスターカードには、その護衛モンスター名、護衛モンスターの画像及び護衛モンスターの説明が表示されている。また、この護衛モンスターカードには、その護衛モンスターを配置するために必要なメダル枚数（護衛費用）も表示されている。また、護衛モンスター選択画面の画面上部には、自分の城名、護衛モンスターが配置されるフロアー箇所の空き情報などが表示されている。護衛モンスターは、城のフロアーの特定の箇所にしか配置できず、その箇所には、それぞれ１体のみ配置される。
【００９０】
プレイヤーは、図１８に示した護衛モンスター選択画面において、護衛モンスターを配置する箇所及び護衛モンスターの種類を決めたら、操作レバー４でカーソルを移動させ、操作ボタン５ａを押す。このボタン操作は、操作制御部１３からメイン基板１０に送られる。そして、メイン基板１０は、ＲＡＭ１６に記録されているクレジットデータを、護衛モンスターの護衛費用に相当する分だけ減少させるように変更するクレジットデータ変動処理を実行する（Ｓ８）。
【００９１】
具体的に説明すると、中央制御装置２０のデータベース用ＲＯＭ２３は、ゲーム価値変動要素としてのゲーム要素関連情報である護衛モンスター名データに関連付けて、増減情報である護衛費用データを記録した増減情報記録媒体としての護衛モンスターデータベースが記録されたデータ領域を有している。プレイヤーが図１８に示した護衛モンスター選択画面で護衛モンスターを選択すると、メイン基板１０は、その護衛モンスター選択信号を中央制御基板２１に送信する。これを受信した中央制御基板２１は、その信号に対応する護衛モンスター名データから護衛モンスターデータベースに記録された護衛モンスターデータを読み出し、そのデータを、上記城情報データベースにおけるプレイヤーの城データに追加する。これにより、プレイヤーは、自分の城データに護衛モンスターデータが追加されるという特典獲得条件を満たし、ゲーム価値変動条件が満たされる。そして、護衛モンスター選択信号を受信した中央制御基板２１は、変動要素選択手段及び増減情報読出手段として機能し、上記護衛モンスターデータベースから、その護衛モンスター選択信号に対応する護衛モンスター名データを選択し、この護衛モンスター名データに対応した護衛費用データを読み出す。そして、中央制御基板２１は、その護衛費用データをメイン基板１０に返信する。これを受信したメイン基板１０は、ゲーム価値変動手段として機能し、その護衛費用データに相当するクレジット分を、ＲＡＭ１６に記録されたクレジットデータから減じる処理を行う。
【００９２】
また、本メダルゲーム機で行う対戦ゲームでは、プレイヤーが城に挑戦し、他のプレイヤーからその城を奪取することがゲーム目的となっている。この対戦ゲームにおいて、城に挑戦したプレイヤーは、その城に挑戦するための挑戦費用や、魔法カードを使用するためのカード使用費用など、自分のクレジットを費やすことになる。城に挑戦したプレイヤーが費やしたクレジットの少なくとも一部、例えば９０％は、城を所有するプレイヤーのクレジットに加算される。すなわち、城に挑戦したプレイヤーが城の占領に失敗しゲームが終了したとき、そのゲームユニット１のメイン基板１０から、ゲームに費やした使用クレジットデータ等が中央制御基板２１に送られる。ここで、中央制御装置２０のデータベース用ＲＯＭ２３は、プレイヤー情報を記録するデータ領域を有している。そして、使用クレジットデータ等を受信した中央制御基板２１は、城に挑戦したプレイヤーが城の占領に失敗しゲームが終了したことを変更条件として、上記プレイヤー情報に含まれるクレジットデータを、その使用クレジットデータの９０％に相当する分だけ増加させるように変更する保存データ変更処理を行う（Ｓ９）。
【００９３】
また、城に挑戦したプレイヤーが城の占領に成功するというゲーム目的を達成した場合、そのプレイヤーは、その城の城主となることができる。よって、他のプレイヤーからの挑戦を受けて、その城の防衛に成功したときにクレジットが増加するという城主としての特典を受けることができる。具体的には、城に挑戦したプレイヤーが城の占領に成功したとき、そのゲームユニット１のメイン基板１０から、城奪取信号等が中央制御基板２１に送られる。これを受信した中央制御基板２１は、データベース用ＲＯＭ２３に記録された城情報データベースから、その城奪取信号に対応する城名データを選択し、この城名データに関連付けられた城主のプレイヤーＩＤを、城の占領に成功したプレイヤーのＩＤに変更する保存データ変更処理を行う（Ｓ９）。
【００９４】
尚、本実施形態では、各ダンジョンや城でのモンスターの強さが大きく異なるが、主人公は、モンスターを倒したり、魔法カードを使用したりすることでレベルアップし、その能力を高めることができる。尚、プレイヤーの能力データ（攻撃力、守備力等）は、ダンジョンクリア時にディフォルトに戻されるが、主人公のもつ装備や魔法カード等は、そのまま継続される。
【００９５】
プレイヤーは、ＲＡＭ１６に記録されたクレジットデータをメダルに換算してメダルの払出しを受ける場合、図３に示すペイアウトボタン５ｄを押す。このボタン操作は、操作制御部１３からメイン基板１０に送られる。そして、メイン基板１０は、ＲＡＭ１６に記録されているクレジットデータを、メダル払出制御１５に送り、メダル払出制御１５により、メダル払出処理を実行する（Ｓ１１）。これにより、プレイヤーに対して、メダル払出ロ７から、その時点のクレジットデータに相当する枚数のメダルが払い出される。
【００９６】
また、プレイヤーは、ゲームを終了しようとする場合には、図３に示す保存終了ボタン５ｅを押す。このボタン操作は、操作制御部１３からメイン基板１０に送られる。そして、メイン基板１０は、画像表示制御部１１により、ディスプレイ２に表示されている画像の上に重なるようにして、図１９に示すゲーム終了選択画面を表示させる（Ｓ１０）。このゲーム終了選択画面には、「ゲームを終了しますか？」というコメントの下に「はい」ボタンと「いいえ」ボタンが表示されている。プレイヤーは、ゲームを終了させない場合には、操作レバー４でカーソルを「いいえ」ボタンに合わせて、操作ボタン５ａを押す。これにより、ゲーム終了選択画面が消えて、直前の画面からゲームが再開される。一方、プレイヤーは、ゲームを終了させる場合には、操作レバー４でカーソルを「はい」ボタンに合わせて、操作ボタン５ａを押す。このボタン操作は、操作制御部１３からメイン基板１０に送られる。そして、メイン基板１０は、図６及び図７に示したように、ＲＡＭ１６に記録されているクレジットデータやゲーム状態データを、データセーブ要求として、中央制御基板２１に送信する。これを受信した中央制御基板２１は、そのデータを、データベース用ＲＯＭ２３に記録されているそのプレイヤーのプレイヤー情報に保存する。そして、中央制御基板２１は、メイン基板１０に保存が完了した旨のセーブ完了データを送信する。これを受信したメイン基板１０は、磁気カード書込読出部１４により、磁気カード９にクレジットデータやゲーム状態データ等を書き込み、その磁気カード９を、カード挿入取出口８から排出する。
【００９７】
以上、本実施形態によれば、従来の家庭用ゲーム機やビデオゲーム機などで主に行われていたＲＰＧのもつゲーム性と、メダルゲームがもつゲーム価値の増減に関するゲーム性の両方を兼ね備えた新規なゲーム性を、プレイヤーに対して提供することができる。
【００９８】
尚、本実施形態では、主人公がダンジョンを冒険するＲＰＧを行うメダルゲーム機について説明したが、本発明は、種々のゲームに適用することができる。例えば、プレイヤーが操作対象である戦闘機を操作し、敵の戦闘機を撃墜しながら敵の基地の占拠を目指してプレイするようなシューティングゲームなどにも適用することができる。この場合、例えば、上記実施形態において挑戦するダンジョンを選択する際にメダルを支払うのと同様に、占拠する基地を選択する際にメダルを支払うように構成することができる。また、例えば、上記実施形態において魔法カードを使用する際にメダルを支払うのと同様に、特別なミサイルを発射する際にメダルを支払うように構成することもできる。
【００９９】
また、本実施形態では、実質的には、各ゲームユニット１が独立したゲームを展開する構成について説明したが、各ゲームユニット１を結ぶ中央制御装置２０で全体のゲーム進行を行い、各ゲームユニット１のプレイヤーが、同一のゲームに参加する構成としてもよい。この場合、各プレイヤーが操作する主人公が互いに協力しながらダンジョンの脱出を目指す設定にしてもよいし、各プレイヤーが操作する主人公が互いに敵同士となる対戦ゲームのように設定してもよい。このとき、各ゲームユニット１は、同一店舗内にある必要はなく、複数の店舗間にまたがってネットワークを介して接続されるように構成してもよい。これによれば、より多くのユーザーによる大規模なゲームを実現することができる。
【０１００】
プレイヤーのメダルの増減を行う変更要件及び増減条件は、上述したものに限らず、ゲーム内容に応じて多種多様であり、ゲーム製作者の創意工夫により、様々な態様が考えられる。
【０１０１】
尚、本実施形態において、ゲームユニット１のメイン基板１０及び中央制御装置２０の中央制御基板２１が実行する各種プログラムは、ＣＤ−ＲＯＭ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【図面の簡単な説明】
【０１０２】
【図１】実施形態に係るメダルゲーム機を構成するゲームユニットのＲＯＭに格納されているゲーム実行プログラムを実行するメイン基板によるゲームの流れを示すフローチャート。
【図２】同メダルゲーム機の全体の概略構成図。
【図３】同ゲームユニットの外観図。
【図４】同ゲームユニット内部の概略構成を示すブロック図。
【図５】同メダルゲーム機を構成する中央制御装置の概略構成を示すブロック図。
【図６】既存のカード処理における同ゲームユニットと同中央制御装置との間のデータ通信の流れを示す説明図。
【図７】新規のカード処理における同ゲームユニットと同中央制御装置との間のデータ通信の流れを示す説明図。
【図８】（ａ）は、同ゲームユニットのディスプレイに表示される名前入力画面の説明図。  （ｂ）は、同ゲームユニットのディスプレイに表示される名前確認画面の説明図。  （ｃ）は、同ゲームユニットのディスプレイに表示される職業選択画面の説明図。
【図９】同ゲームユニットのディスプレイに表示されるメインメニュー画面の説明図。
【図１０】同ゲームユニットのディスプレイに表示されるダンジョン選択画面の説明図。
【図１１】同ゲームユニットのディスプレイに表示される城選択画面の説明図。
【図１２】城の挑戦が許可された場合の城選択処理における同ゲームユニットと同中央制御装置との間のデータ通信の流れを示す説明図。
【図１３】城の挑戦が許可されない場合の城選択処理における同ゲームユニットと同中央制御装置との間のデータ通信の流れを示す説明図。
【図１４】同ゲームユニットのディスプレイに表示されるゲーム画面の説明図。
【図１５】同ゲームユニットのディスプレイに表示されるカード選択画面の説明図。
【図１６】（ａ）は、同ゲームユニットのディスプレイに表示されるショップ画面の説明図。  （ｂ）は、同ショップ画面で購入できるカードの一覧が表示されたカード選択画面の説明図。  （ｃ）は、同ショップ画面で売ることができるカードの一覧が表示されたカード選択画面の説明図。
【図１７】（ａ）は、同ゲームユニットのディスプレイに表示されるカジノ画面の説明図。  （ｂ）は、同カジノのスロット画面の説明図。
【図１８】同ゲームユニットのディスプレイに表示される護衛モンスター選択画面の説明図。
【図１９】同ゲームユニットのディスプレイに表示されるゲーム終了選択画面の説明図。
【符号の説明】
【０１０３】
１      ゲームユニット
２      ディスプレイ
４      操作レバー
５ａ，５ｂ，５ｃ  操作ボタン
５ｄ    ペイアウトボタン
６      メダル投入口
７      メダル払出口
８      カード挿入取出口
９      磁気カード
１０    メイン基板
２０    中央制御装置
２１    中央制御基板
【図１】
2007175530.tif 000003
【図２】
2007175530.tif 000004
【図３】
2007175530.tif 000005
【図４】
2007175530.tif 000006
【図５】
2007175530.tif 000007
【図６】
2007175530.tif 000008
【図７】
2007175530.tif 000009
【図８】
2007175530.tif 000010
【図９】
2007175530.tif 000011
【図１０】
2007175530.tif 000012
【図１１】
2007175530.tif 000013
【図１２】
2007175530.tif 000014
【図１３】
2007175530.tif 000015
【図１４】
2007175530.tif 000016
【図１５】
2007175530.tif 000017
【図１６】
2007175530.tif 000018
【図１７】
2007175530.tif 000019
【図１８】
2007175530.tif 000020
【図１９】
2007175530.tif 000021